(57)【特許請求の範囲】
【請求項１】
仮想ネットワークルーティングの重み設定方法であって、
ルーティング機器によりマルチキャストアドレスのメッセージをインターセプトして、１つのａｒｐ応答メッセージを見つけると、このａｒｐ応答メッセージを用いてｖｘｌａｎのＩＰＶ４ユニキャストトンネルを作成するステップＳ１と、
ＩＰＶ４ユニキャストトンネルにおいて、このａｒｐ応答メッセージのソースターゲットアドレスに対して、ベアラリンクを使用してｔｒａｃｅｒｔのルーティングを行い、物理的経路を得るステップＳ２と、
ｔｒａｃｅｒｔのルーティングにより得られた物理的経路をＡと記録し、Ａをｏｓｐｆプロトコルルーティングの計算におけるｖｘｌａｎインターフェースのｃｏｎｓｔ値とするステップＳ３と、を含む、
ことを特徴とする仮想ネットワークルーティングの重み設定方法。
【請求項２】
前記ステップＳ１の前には、
ｖｘｌａｎインターフェースが、１つのキャストデータフレームを受信し、このキャストデータフレームをｖｘｌａｎパケットにパッケージし、該ｖｘｌａｎパケットをマルチキャストアドレスに転送するステップＳ０をさらに含む、
ことを特徴とする請求項１に記載の仮想ネットワークルーティングの重み設定方法。
【請求項３】
前記ステップＳ３は、具体的には、
ｔｒａｃｅｒｔのルーティングにより得られた物理的経路をＡとして記録し、ルーティング機器がｏｓｐｆルーティングプロトコルを開始させ、且つ、該ｏｓｐｆルーティングプロトコルがルーティング計算状態になり、Ａをルーティング計算におけるｖｘｌａｎインターフェースのｃｏｎｓｔ値とする、
ことを特徴とする請求項１に記載の仮想ネットワークルーティングの重み設定方法。
【発明の詳細な説明】
【技術分野】
【０００１】
本発明は、仮想ネットワークの技術分野に関し、特に仮想ネットワークルーティングの重み設定方法に関する。
【背景技術】
【０００２】
従来のルーティング情報交換プロトコル（たとえばｏｓｐｆ）では、インターフェースレートがこのルーティング経路の重みとして使用されるが、クラウドデータセンターでは、デバイスのインターフェース接続レートは基本的に同じであり、これに基づいて仮想ネットワークインターフェースレートも等しくなるため、データセンターではルーティングエントリの重みは基本的に同じである。
【０００３】
ただし、データセンターの仮想ネットワークでは、直接接続されているように見える仮想ネットワーク接続が、実際に複数の異なる物理デバイスを介する場合がある。したがって、仮想ネットワーク環境では、ルーティングエントリの重みとして、従来の帯域幅の代わりに物理ホップ数を使用することがより好ましい。
【先行技術文献】
【特許文献】
【０００４】
【特許文献１】中国特許出願公開第１０７３１７６９７号明細書
【０００５】
本発明は、ＯＳＰＦ・ＳＤＮハイブリッドネットワークのルーティング設定方法を開示し、該ＯＳＰＦ・ＳＤＮハイブリッドネットワークのルーティング設定方法は、ネットワークに関する複数の履歴トラフィックマトリックスを取得するステップと、複数の履歴トラフィックマトリックスに基づいて、ネットワークにおけるＳＤＮノードの配置位置を決定するステップと、複数の履歴トラフィックマトリックスに基づいて、ネットワークの最適な重み設定を取得するステップと、最適な重み設定及び複数の履歴トラフィックマトリックスに基づいて、ＳＤＮノードに基づく複数組のオフロード比を取得するステップと、最適な重み設定及びオフロード比に基づいてネットワークに対してリアルタイム設定を行うステップと、を含む。
【発明の概要】
【発明が解決しようとする課題】
【０００６】
本発明が解決しようとする技術的課題は、ｖｘｌａｎ仮想ネットワークにおける物理的経路を記録し、この記録をｏｓｐｆルーティングプロトコルに追加して、該ルーティングプロトコルがルーティングエントリを交換するときのエントリ重みとすることによって、ｏｓｐｆルーティングプロトコルの仮想ネットワークでの特性を改善する、仮想ネットワークルーティングの重み設定方法を提供することである。
【課題を解決するための手段】
【０００７】
上記技術的課題を解決するために、本発明は、下記技術案を提供する。仮想ネットワークルーティングの重み設定方法であって、マルチキャストアドレスのメッセージをインターセプトして、１つのａｒｐ応答メッセージを見つけると、このａｒｐ応答メッセージを用いてｖｘｌａｎのＩＰＶ４ユニキャストトンネルを作成するステップＳ１と、ＩＰＶ４ユニキャストトンネルにおいて、このａｒｐ応答メッセージのソースターゲットアドレスに対して、ベアラリンクを使用してｔｒａｃｅｒｔのルーティングを行い、物理的経路を得るステップＳ２と、ｔｒａｃｅｒｔのルーティングにより得られた物理的経路をＡと記録し、Ａをｏｓｐｆプロトコルルーティングの計算におけるｖｘｌａｎインターフェースのｃｏｎｓｔ値とするステップＳ３と、を含む。
【０００８】
好ましくは、前記ステップＳ１の前には、ｖｘｌａｎインターフェースが、１つのキャストデータフレームを受信し、このキャストデータフレームをｖｘｌａｎパケットにパッケージし、該ｖｘｌａｎパケットをマルチキャストアドレスに転送するステップＳ０をさらに含む。
【０００９】
好ましくは、前記ステップＳ３は、具体的には、ｔｒａｃｅｒｔのルーティングにより得られた物理的経路をＡとして記録し、ルーティング機器がｏｓｐｆルーティングプロトコルを開始させ、且つ、該ｏｓｐｆルーティングプロトコルがルーティング計算状態になり、Ａをルーティング計算におけるｖｘｌａｎインターフェースのｃｏｎｓｔ値とする。
【発明の効果】
【００１０】
上記技術案を用いると、本発明は、少なくとも下記有益な効果を有する。本発明では、ｔｒａｃｅｒｔのルーティングにより得られる物理的経路をｏｓｐｆルーティングプロトコルのルーティング計算におけるｖｘｌａｎインターフェースのｃｏｎｓｔ値とすることで、ｏｓｐｆプロトコルの仮想ネットワーク環境でのルーティングメカニズムを最適化させるという目的を達成させる。
【図面の簡単な説明】
【００１１】
【図１】本発明の仮想ネットワークルーティングの重み設定方法のステップのフローチャートである。
【発明を実施するための形態】
【００１２】
なお、矛盾がない限り、本出願における実施例及び実施例の特徴を互いに組み合わせることができ、以下、図面及び特定実施例にて本出願をさらに詳細に説明する。
【００１３】
（実施例１）
本発明は、仮想ネットワークルーティングの重み設定方法を開示し、ｖｘｌａｎ仮想ネットワークにおける物理的経路を記録し、この記録をＯＳＰＦルーティングプロトコルに追加し、ルーティングエントリを交換するときの該ルーティングプロトコルのエントリ重みとすることによって、ｏｓｐｆルーティングプロトコルの仮想ネットワークでの特性を改善する。
【００１４】
図１に示されるように、本発明は、仮想ネットワークルーティングの重み設定方法を提供し、具体的なステップは、以下のとおりである。
【００１５】
１）ｖｘｌａｎインターフェースが、１つのキャストデータフレームを受信する。
２）このキャストデータフレームをｖｘｌａｎパケットにパッケージする。
３）該ｖｘｌａｎパケットを指定されたマルチキャストアドレスに転送する。
４）マルチキャストアドレスのメッセージをインターセプトする。
５）１つのａｒｐ応答メッセージを見つける。
６）このａｒｐ応答メッセージを用いてｖｘｌａｎのＩＰＶ４ユニキャストトンネルを作成する。
７）ＩＰＶ４ユニキャストトンネルにおいて、このａｒｐ応答メッセージのソースターゲットアドレスに対して、ベアラリンクを使用してｔｒａｃｅｒｔのルーティングを行い、物理的経路を得る。
８）ｔｒａｃｅｒｔのルーティングにより得られる物理的経路をＡとして記録する。
９）Ａをｏｓｐｆプロトコルのルーティング計算におけるｖｘｌａｎインターフェースのｃｏｎｓｔ値とし、この前に、ルーティング機器がｏｓｐｆルーティングプロトコルを開始させ、初期化を完了し、且つ該ｏｓｐｆルーティングプロトコルがルーティング計算状態に入る場合にのみ、物理的経路Ａをルーティング計算におけるｖｘｌａｎインターフェースのｃｏｎｓｔ値とする。
【００１６】
本発明の実施例を示して説明したが、当業者であれば、本発明の原理及び精神を逸脱することなく、これら実施例に対してさまざまな等価変化、修正、置換及び変形を行うことができ、本発明の範囲は、特許請求の範囲及びその同等範囲により限定されることを理解できる。
【要約】      （修正有）【課題】仮想ネットワークルーティングの重み設定方法を提供する。【解決手段】ｖｘｌａｎインターフェースが、マルチキャストアドレスのメッセージをインターセプトし、１つのａｒｐ応答メッセージを見つけるステップと、このａｒｐ応答メッセージを用いてｖｘｌａｎのＩＰＶ４ユニキャストトンネルを作成し、このａｒｐ応答メッセージのソースターゲットアドレスに対して、ベアラリンクを使用してｔｒａｃｅｒｔのルーティングを行い、物理的経路を得るステップと、物理的経路をＡとして記録するステップと、Ａをルーティング計算におけるｖｘｌａｎインターフェースのｃｏｎｓｔ値とするステップと、ルーティング機器がｏｓｐｆルーティングプロトコルを開始させ、且つｏｓｐｆルーティングプロトコルがルーティング計算状態に入る場合にのみ、物理的経路Ａをルーティング計算におけるｖｘｌａｎインターフェースのｃｏｎｓｔ値とするステップと、を含む。【選択図】図１【図１】
0006795234.tif 000002